【手続補正書】
【提出日】平成31年3月26日(2019.3.26)
【手続補正１】
【補正対象書類名】明細書
【補正対象項目名】発明の名称
【補正方法】変更
【補正の内容】
【発明の名称】表示装置、プログラム及び処理方法
【手続補正２】
【補正対象書類名】明細書
【補正対象項目名】０００１
【補正方法】変更
【補正の内容】
【０００１】
本発明は、複数の画素を有する表示装置、プログラム及び処理方法に関し、特に表示装置内の信号処理部から表示パネルへ送る表示データの伝送方法に関する。
【手続補正３】
【補正対象書類名】明細書
【補正対象項目名】００１５
【補正方法】変更
【補正の内容】
【００１５】
本発明は、上記問題に鑑みてなされたものであり、本発明の目的とするところは、入力画像のデータに基づき、表示パネルの表示への悪影響を与えるノイズを低減し、観察者に高い臨場感を与える表示装置、プログラム及び処理方法を提供することである。
【手続補正４】
【補正対象書類名】明細書
【補正対象項目名】００１７
【補正方法】変更
【補正の内容】
【００１７】
本発明に係るプログラムは、第１のパターンを表示する第１のサブ画素と、第２のパターンを表示する第２のサブ画素から構成された単位画素が、行または列方向に交互に配列された表示パネルに入力する画像信号の処理を行うコンピュータに、前記第１のサブ画素に入力される第１の画像信号と、前記第２のサブ画素に入力される第２の画像信号とを取得し、各単位画素にて、前記第１の画像信号及び第２の画像信号の階調差を検出し、該階調差が閾値以上であるか否かを判定し、前記階調差が閾値以上でないと判定した場合、前記第１の画像信号及び第２の画像信号の結合用に生成した同一周期、同一位相及び同一パルス幅である２つ以上のクロック信号を同期させて出力し、前記階調差が閾値以上であると判定した場合、前記２つ以上のクロック信号が同期しないように、周期、位相またはパルス幅を制御して出力する処理を実行させることを特徴とする。
【手続補正５】
【補正対象書類名】明細書
【補正対象項目名】００９５
【補正方法】変更
【補正の内容】
【００９５】
実施形態３では、観察者が立体視するか否かを選択する機能を備えたことを特徴とする。図２７に、本発明の実施形態３に係る表示装置の構成を示すブロック図を示す。実施形態３に係る表示装置は、信号処理部１ａと表示パネル２を備える。実施形態３の信号処理部１ａは、実施形態１とは異なり、立体視選択部１５および立体視切替部１６を備える。
【手続補正６】
【補正対象書類名】明細書
【補正対象項目名】００９６
【補正方法】変更
【補正の内容】
【００９６】
立体視選択部１５は、観察者が立体視するか否かの選択に応じた立体視選択信号Ｓｔｅｒｅｏを、立体視切替部１６に出力する機能を備える。観察者が立体視をする選択時は、立体視選択信号を「１」（Ｓｔｅｒｅｏ＝１）とし、立体視をしない選択時は、立体視選択信号を「０」（Ｓｔｅｒｅｏ＝０）として立体視切替部１６に出力する。
【手続補正７】
【補正対象書類名】明細書
【補正対象項目名】００９７
【補正方法】変更
【補正の内容】
【００９７】
例えば、立体視選択部１５は、観察者が操作するＯＮ/ＯＦＦスイッチを備え、立体視する場合はスイッチをＯＮ、立体視しない場合はスイッチをＯＦＦとし、スイッチＯＮの状態で立体視選択信号を「１」（Ｓｔｅｒｅｏ＝１）、スイッチＯＦＦの状態で立体視選択信号を「０」（Ｓｔｅｒｅｏ＝０）とする回路を構成することで実現できる。このＯＮ/ＯＦＦスイッチに照明付きの押しボタンを用い、照明の点灯時をＯＮとしてＳｔｅｒｅｏ=１を出力し、照明の消灯時をＯＦＦとしＳｔｅｒｅｏ＝０を出力し観察者がボタンを押す度に、交互にＯＮ/ＯＦＦが反転するように構成してもよい。
【手続補正８】
【補正対象書類名】明細書
【補正対象項目名】００９８
【補正方法】変更
【補正の内容】
【００９８】
また例えば、立体視選択部１５は、外部から信号を入力する接続端子と、接続端子から入力される信号を検出し、信号に応じて立体視選択信号Ｓｔｅｒｅｏに変換する回路を構成することによっても実現可能である。
【手続補正９】
【補正対象書類名】明細書
【補正対象項目名】０１０２
【補正方法】変更
【補正の内容】
【０１０２】
図２９は、上記立体視選択部１５および立体視切替部１６を含む信号処理部１ａの動作を示すタイミングチャートである。
【手続補正１０】
【補正対象書類名】明細書
【補正対象項目名】０１０３
【補正方法】変更
【補正の内容】
【０１０３】
図２９に示したとおり、実施形態３においては、立体視しない期間（Ｓｔｅｒｅｏ＝０）は、ＤＡ１”とＤＡ２”が同じため、階調差がなく、ＤＢの論理反転は行われず、同時スイッチングにともなうノイズ発生はない。立体視する期間（Ｓｔｅｒｅｏ＝１）かつ、ＤＡ１”とＤＡ２”の階調差が、閾値以上であると判定される期間（Ｒｅｓｕｌｔ=１）では、実施形態１と同様に、ＤＢ［０］−ＤＢ［１］間の立ち上がりと、立下りが同期しないため、ＧＮＤに及ぼす歪みの影響が時間軸方向に分散される効果がある。
また、立体視において観察者が眼精疲労を感じた場合や、立体視が困難な場合（左右の視力差が大きく異なる場合や、瞳孔間距離が成人に比べて小さな子供など）は、観察者は立体視選択部１５を用いて、立体視を中断することができる。
【手続補正１１】
【補正対象書類名】明細書
【補正対象項目名】０１０５
【補正方法】変更
【補正の内容】
【０１０５】
図３０に、本発明の第３の実施形態に係る表示装置の別の構成を示すブロック図を示す。図２７とは異なり、信号処理部１ｂに立体視切替部１６が無い代わりに、第１のパターン３と第２のパターン４を供給する映像信号供給源１０００が存在し、立体視選択部１５は、映像信号供給源１０００に対して立体視選択信号Ｓｔｅｒｅｏを出力する。
映像信号源１０００は、観察者が立体視をする選択（Ｓｔｅｒｅｏ＝１）をすると、互いに視差のある第１のパターン３と第２のパターン４を出力する。また、映像信号源１０００は、観察者が立体視をしない選択（Ｓｔｅｒｅｏ＝０）をした場合では、視差のない第１のパターン３と、第２のパターン４を出力する。
【手続補正１２】
【補正対象書類名】明細書
【補正対象項目名】０１９６
【補正方法】変更
【補正の内容】
【０１９６】
１，１ａ，１ｂ  信号処理部
２，２ａ，２ｂ，２ｃ，２ｄ  表示パネル
３  第１のパターン
４  第２のパターン
５  ＴＦＴ
６  画素電極
７  共通電極
８  共通電極電源
１０  データドライバ
１１  データ線
１２，１２ｂ，１２ｄ  判定部
１３，１３ｂ，１３ｄ  タイミング制御部
１４，１４ｂ，１４ｄ  データ出力部
１５  立体視選択部
１６  立体視切替部
２０  ゲートドライバ
２１  ゲート線
３０  第１のサブ画素
３１，３２  第１のサブ画素の単位画素
４０  第２のサブ画素
４１，４２  第２のサブ画素の単位画素
６０  Ｒのパターン
７０  Ｇのパターン
８０  Ｂのパターン
９０  ＲＧＢのサブ画素からなる単位画素
１００  レンチキュラレンズ
１０１  シリンドリカルレンズ
２００  階調０の電位（正極）
２０３  階調３の電位（正極）
３００  階調０の電位（負極）
３０３  階調３の電位（負極）
５００，５１０  閾値プロット
１０００  映像信号供給源
３０３０  第１と第２のパターンに白を表示した際に得られる輝度プロファイル
３０４０  第１に白、第２のパターンに黒を表示した際に得られる輝度プロファイル
４０３０  第１に黒、第２のパターンに白を表示した際に得られる輝度プロファイル
３０３１  輝度プロファイル３０３０における輝度ピーク値
３０４１  輝度プロファイル３０４０における輝度ピーク値
４０３１  輝度プロファイル４０３０における輝度ピーク値
Ｄ１，Ｄ２，Ｄ３，Ｄ４，Ｄ５，Ｄ６，Ｄ７，Ｄ８，Ｄ９，Ｄ１０，Ｄ１１，Ｄ１２  データドライバ出力
Ｇ１，Ｇ２，Ｇ３，Ｇ４，Ｇ５  ゲートドライバ出力
ＤＡ１  第１のパターンの画像信号（第１の画像信号）
ＤＡ２  第２のパターンの画像信号（第２の画像信号）
ＤＡ１”，ＤＡ２”  第１のパターンの画像信号（第１の画像信号）もしくは第２のパターンの画像信号（第２の画像信号）
ＤＢ  ＤＡ１とＤＡ２を結合した画像信号
ｔｆ  立下り期間
ｔｒ，ｔｒ２  立ち上がり期間
ｔｓ  セットアップ期間
ｔｈ  ホールド期間
ＴｆＡ１，ＴｆＡ２  ＤＡ１及びＤＡ２の１フレーム期間
ＴｆＢ１，ＴｆＢ２  ＤＢの１フレーム期間
ＲＡ  Ｒのパターンの画像信号
ＧＡ  Ｇのパターンの画像信号
ＢＡ  Ｂのパターンの画像信号
【手続補正１３】
【補正対象書類名】特許請求の範囲
【補正対象項目名】全文
【補正方法】変更
【補正の内容】
【特許請求の範囲】
【請求項１】
少なくとも第１のパターンを表示する第１のサブ画素と、第２のパターンを表示する第２のサブ画素から構成された単位画素が、行または列方向に交互に配列された表示パネルと、
前記第１のパターンからなる画像データと前記第２のパターンからなる画像データに対して、前記画像データ内の最大階調値差を変調し、前記表示パネルに入力される結合画像信号の各ビット信号間の立ち上がりもしくは立下りの同期もしくは非同期をコントロールする信号処理部と、
を備えることを特徴とする表示装置。
【請求項２】
少なくとも第１のパターンを表示する第１のサブ画素と、第２のパターンを表示する第２のサブ画素から構成された単位画素が、行または列方向に交互に配列された表示パネルと、
前記第１のパターンからなる画像データと前記第２のパターンからなる画像データに対して、前記表示パネルに入力される結合画像信号の各ビット信号間の立ち上がりもしくは立下りの同期もしくは非同期をコントロールする信号処理部と、
を備えることを特徴とする表示装置。
【請求項３】
前記信号処理部は、
サブ画素に入力される第１の画像信号と、前記サブ画素に隣接するサブ画素に入力される第２の画像信号との階調差を検出し、あらかじめ設定された閾値以上であるか否かを判定する判定部と、
同じ周期と位相とパルス幅からなる２つ以上のデータ結合用クロック信号を生成し、前記閾値未満の判定を検出した場合に、前記２つ以上のデータ結合用クロック信号をそのまま出力し、前記閾値以上の判定を検出した場合において、前記２つ以上のデータ結合用クロック信号間の立ち上がりと立下りが同期しないように、少なくとも前記周期もしくは前記位相もしくは前記パルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１または請求項２に記載の表示装置。
【請求項４】
前記信号処理部は、
各単位画素に対して、前記第１のサブ画素に入力される第１の画像信号と、前記第２のサブ画素に入力される第２の画像信号との階調差を検出し、あらかじめ設定された閾値以上であるかどうか判定を行う判定部と、
同じ周期と位相とパルス幅からなる２つ以上のデータ結合用クロック信号を生成し、前記閾値未満の判定を検出した場合に、前記２つ以上のデータ結合用クロック信号をそのまま出力し、前記閾値以上と判定を検出した場合において、前記２つ以上のデータ結合用クロック信号間の立ち上がりと立下りが同期しないように、少なくとも前記周期もしくは前記位相もしくは前記パルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１または請求項２に記載の表示装置。
【請求項５】
前記判定部は、前記階調差があらかじめ設定された前記閾値以上であると判定された後に、前記階調差を有する領域が、あらかじめ階調差に応じて設定された所定のサブ画素数以上かどうかを判定することを特徴とする請求項３または請求項４に記載の表示装置。
【請求項６】
観察者が立体視するか否かを選択する立体視選択部を更に備え、
前記選択に応じた立体視選択信号を出力することを特徴とする請求項３から５のいずれか１つに記載の表示装置。
【請求項７】
前記立体視選択部の選択において、前記立体視する選択を検出した場合に、前記第１の画像信号と前記第２の画像信号間で視差を有する形で前記判定部へ出力し、前記立体視しない選択を検出した場合に、前記第１の画像信号と前記第２の画像信号の間で視差を有さない形で、前記判定部へ出力する立体視切替部を
更に備えることを特徴とする請求項６に記載の表示装置。
【請求項８】
前記データ出力部は、２つ以上のドットクロック信号を用いて１つの結合した結合画像信号を出力することを特徴とする請求項３から７のいずれか１つに記載の表示装置。
【請求項９】
前記データ出力部は、２つ以上のドットクロック信号を夫々用いて、２つ以上の結合した結合画像信号を出力することを特徴とする請求項３から７のいずれか１つに記載の表示装置。
【請求項１０】
前記データ出力部は、結合画像信号の周波数を可変することを特徴とする請求項３から９のいずれか１つに記載の表示装置。
【請求項１１】
前記判定部は、前記２つ以上のデータ結合用クロック信号から、前記結合画像信号の立ち上がりもしくは立下りの変化を検知し、検知した変化が立ち上がりもしくは立下りの内、期間の短い方の変化に該当するか否かの判定を行い、
前記タイミング制御部は、該判定に基づいて前記２つ以上のデータ結合用クロック信号を出力する
ことを特徴とする請求項３から１０のいずれか１つに記載の表示装置。
【請求項１２】
前記タイミング制御部は、
前記閾値以上と判定を検出した場合において、前記２つ以上のデータ結合用クロック信号間の立ち上がりあるいは立下りのいずれか応答時間が短い方の１つが同期しないように、少なくとも周期もしくは位相もしくはパルス幅の何れか一つを制御し出力する
ことを特徴とする請求項３から１１のいずれか１つに記載の表示装置。
【請求項１３】
前記データ出力部は、前記短い方の応答時間が２分の１以下であることを特徴とする請求項１１または請求項１２に記載の表示装置。
【請求項１４】
サブ画素から構成された単位画素が、行または列方向に交互に配列された表示パネルと、
前記サブ画素とデータ線の配列方向に隣接するサブ画素に入力される画像信号とが、互いに階調反転の関係にある画像データに対して、前記画像データ内の最大階調値差を変調し、前記表示パネルに入力される結合画像信号の各ビット信号間の立ち上がりもしくは立下りの同期もしくは非同期をコントロールする信号処理部と、
を備えることを特徴とする表示装置。
【請求項１５】
前記信号処理部は、
あるサブ画素に入力される第１の画像信号と、前記あるサブ画素と前記データ線の配列方向に隣接するサブ画素に入力される第２の画像信号とが、互いに階調反転の関係であるかどうか判定を行う判定部と、
同じ周期と位相とパルス幅からなる２つ以上のデータ結合用クロック信号を生成し、前記階調反転の関係ではない判定を検出した場合に、前記２つ以上のデータ結合用クロック信号をそのまま出力し、前記階調反転の関係である判定を検出した場合において、前記２つ以上のデータ結合用クロック信号間の立ち上がりと立下りが同期しないように、少なくとも周期もしくは位相もしくはパルス幅の何れか一つを制御し出力するタイミング制御部と、
前記表示パネルに対して、前記第１の画像信号と前記第２の画像信号とを、前記２つ以上のデータ結合用クロック信号を用いて結合した結合画像信号の出力を行うデータ出力部と、
を備えることを特徴とする請求項１４に記載の表示装置。
【請求項１６】
前記判定部は、前記互いに隣接するサブ画素が階調反転の関係であると判定された後に、前記階調反転の関係を有するサブ画素の領域が、所定のサブ画素数以上かどうかを判定することを特徴とする請求項１５に記載の表示装置。
【請求項１７】
サブ画素から構成された単位画素が、行または列方向に交互に配列された表示パネルと、
前記単位画素とデータ線の配列方向に隣接する単位画素に入力される画像信号とが、互いに階調反転の関係にある画像データに対して、前記画像データ内の最大階調値差を変調し、前記表示パネルに入力される結合画像信号の各ビット信号間の立ち上がりもしくは立下りの同期もしくは非同期をコントロールする信号処理部と、
を備えることを特徴とする表示装置。
【請求項１８】
前記信号処理部は、
ある単位画素に入力される第１の画像信号と、前記単位画素とデータ線の配列方向に隣接する単位画素に入力される第２の画像信号とが、互いに階調反転の関係であるかどうか判定を行う判定部と、
同じ周期と位相とパルス幅からなる２つ以上のデータ結合用クロック信号を生成し、前記階調反転の関係ではない判定を検出した場合に、前記２つ以上のデータ結合用クロック信号をそのまま出力し、前記階調反転の関係である判定を検出した場合において、前記２つ以上のデータ結合用クロック信号間の立ち上がりと立下りが同期しないように、少なくとも周期もしくは位相もしくはパルス幅の何れか一つを制御し出力するタイミング制御部と、
前記表示パネルに対して、第１の画像信号と第２の画像信号とを、前記２つ以上のデータ結合用クロック信号を用いて結合した結合画像信号の出力を行うデータ出力部と、
を備えることを特徴とする請求項１７に記載の表示装置。
【請求項１９】
前記判定部は、前記互いに隣接する単位画素が階調反転の関係であると判定された後に、前記階調反転の関係を有する単位画素の領域が、所定の単位画素数以上かどうかを判定することを特徴とする請求項１８に記載の表示装置。
【請求項２０】
前記データ出力部は、２つ以上のドットクロック信号を用いて１つの結合した結合画像信号を出力することを特徴とする請求項１５、１６、１８、１９のいずれか１つに記載の表示装置。
【請求項２１】
前記データ出力部は、２つ以上のドットクロック信号を夫々用いて、２つ以上の結合した結合画像信号を出力することを特徴とする請求項１５、１６、１８、１９のいずれか１つに記載の表示装置。
【請求項２２】
前記データ出力部は、結合画像信号の周波数を可変することを特徴とする請求項１５、１６、１８、１９、２０、２１のいずれか１つに記載の表示装置。
【請求項２３】
前記表示装置は、列方向に並設されたゲート線を備え、
行方向に隣接するサブ画素は、隣接するゲート線に交互に接続され、
列方向に隣接するサブ画素は、二列ごとに同一のゲート線に接続されている
ことを特徴とする請求項１から１３のいずれか一つに記載の表示装置。
【請求項２４】
前記表示装置は、行方向に並設されたゲート線を備え、
列方向に隣接するサブ画素は、隣接するゲート線に交互に接続され、
行方向に隣接するサブ画素は、二行ごとに同一のゲート線に接続されている
ことを特徴とする請求項１から１３のいずれか一つに記載の表示装置。
【請求項２５】
第１のパターンを表示する第１のサブ画素と、第２のパターンを表示する第２のサブ画素から構成された単位画素が、行または列方向に交互に配列された表示パネルに入力する画像信号の処理を行うコンピュータに、
前記第１のサブ画素に入力される第１の画像信号と、前記第２のサブ画素に入力される第２の画像信号とを取得し、
各単位画素にて、前記第１の画像信号及び第２の画像信号の階調差を検出し、
該階調差が閾値以上であるか否かを判定し、
前記階調差が閾値以上でないと判定した場合、前記第１の画像信号及び第２の画像信号の結合用に生成した同一周期、同一位相及び同一パルス幅である２つ以上のクロック信号を同期させて出力し、
前記階調差が閾値以上であると判定した場合、前記２つ以上のクロック信号が同期しないように、周期、位相またはパルス幅を制御して出力する
処理を実行させることを特徴とするプログラム。
【請求項２６】
第１のパターンを表示する第１のサブ画素と、第２のパターンを表示する第２のサブ画素から構成された単位画素が、行または列方向に交互に配列された表示パネルに入力される画像信号を処理する処理方法であって、
前記第１のサブ画素に入力される第１の画像信号と、前記第２のサブ画素に入力される第２の画像信号とを取得し、
各単位画素にて、前記第１の画像信号及び第２の画像信号の階調差を検出し、
該階調差が閾値以上であるか否かを判定し、
前記階調差が閾値以上でないと判定した場合、前記第１の画像信号及び第２の画像信号の結合用に生成した同一周期、同一位相及び同一パルス幅である２つ以上のクロック信号を同期させて出力し、
前記階調差が閾値以上であると判定した場合、前記２つ以上のクロック信号が同期しないように、周期、位相またはパルス幅を制御して出力する
ことを特徴とする処理方法。
【手続補正１４】
【補正対象書類名】図面
【補正対象項目名】図２７
【補正方法】変更
【補正の内容】
【図２７】
2017032974.tif 000001
【手続補正１５】
【補正対象書類名】図面
【補正対象項目名】図３０
【補正方法】変更
【補正の内容】
【図３０】
2017032974.tif 000002